(57)【特許請求の範囲】
【請求項１】
筒状に形成された塔本体と、前記塔本体の上部に下端が接続されたアンテナ鉄塔と、を備える塔状構造物を構築する方法であって、
前記塔本体を構築する塔本体構築ステップと、
前記塔本体の内部において前記アンテナ鉄塔を構築するアンテナ鉄塔構築ステップと、
揚重装置により前記塔本体に反力を取りながら、前記アンテナ鉄塔を前記塔本体から突出するまで吊り上げる吊り上げステップと、
前記吊り上げたアンテナ鉄塔を前記塔本体に接続する接続ステップとを備え、
前記塔本体構築ステップは、前記塔本体の所定高さよりも低い部分を構築する第１の塔本体構築ステップと、前記塔本体の前記所定高さよりも高い部分を構築する第２の塔本体構築ステップとにより構成され、
前記第２の塔本体構築ステップと、前記アンテナ鉄塔構築ステップとを並行して行い、
前記アンテナ鉄塔は複数の部材を上下に接続して構成され、
前記アンテナ鉄塔構築ステップでは、揚重装置により前記塔本体の前記所定高さよりも低い部分に反力を取りながら前記アンテナ鉄塔の上端部を構成する部材を吊り上げ、前記吊り上げた部材の下端に、順次、前記アンテナ鉄塔を構成する部材を接続することにより前記アンテナ鉄塔を構築し、
前記塔状構造物は、前記所定高さに展望室を備え、
前記第１の塔本体構築ステップでは、前記塔本体の所定高さよりも低い部分を構築した後、前記展望室を構築し、
前記第２の塔本体構築ステップでは、前記展望室の上部に設置されたステージから前記塔本体の前記所定高さよりも高い部分を構築し、
前記アンテナ鉄塔構築ステップは、前記塔本体に反力を取る位置を前記所定高さよりも低い部分から上方に盛り替えるステップを含むことを特徴とする塔状構造物の構築方法。
【請求項２】
請求項１記載の塔状構造物の構築方法により構築されたことを特徴とする塔状構造物。
【発明の詳細な説明】
【技術分野】
【０００１】
本発明は、リフトアップ工法により塔状構造物を構築する方法に関する。
【背景技術】
【０００２】
従来より、塔状構造物の構築方法として、塔状構造物の下部を構成する下部構造を中空状に構築し、下部構造の内部において塔状構造物の上部を構成する上部構造を構築し、ジャッキにより上部構造を下部構造の上方までリフトアップ（プッシュアップ）して、上部構造の下部と下部構造の上部とを接続するリフトアップ工法が用いられている。
【０００３】
このようなリフトアップ工法として、例えば、特許文献１には、内部を上下方向に延びる中央シャフトと、中央シャフトの上部に接続されたアンテナ鉄塔と、中央シャフトの外周を取り囲む鉄骨造の外筒部と、建物の中間高さまでの中央シャフトの下部を取り囲む鉄筋コンクリート造の内筒部とを備えた塔状構造物を、内筒部及び外筒部を中間高さまで構築した後、内筒部の上部に設置したジャッキにより、アンテナ鉄塔を上昇させながらその下部に中央シャフトを構築していき、中央シャフトの上端が中間高さを超えた後は、アンテナ鉄塔を上昇させながら、中間高さに設けられたステージにおいて中央シャフトの外周に外筒部を構築する方法が記載されている。
【０００４】
また、例えば、特許文献２には、外部フレームの内部に内部フレームが形成され、上部にアンテナ鉄塔が接続された二重構造のタワーを、外部フレームの基底部を構築するとともに、その内部にアンテナ鉄塔及びタワーの最上部を構築し、外部フレームの基底部に反力をとりながらタワーの最上部をプッシュアップした後、リフトアップした内部フレームの下部に新たなタワーの上部構成部を接続する工程と、外部フレームの基底部に反力をとりながらタワーの上部をリフトアップする工程と、を繰り返すことによりタワー上部構成部を上方から構築し、上記構築したタワー上部構成部の下方に基底部を構成する内部フレームを一体に構築し、上記構築したタワー上部構成部の外部フレームと、基底部の外部フレームとを接続することにより塔状構造物を構築する方法が記載されている。
【特許文献１】特開２００８−７５３４０号公報
【特許文献２】特開２００８−６９５６７号公報
【発明の開示】
【発明が解決しようとする課題】
【０００５】
しかしながら、特許文献１記載の方法は、アンテナ鉄塔、中央シャフト、及び中間高さよりも上方の外筒部をリフトアップしなければならない。このため、リフトアップの際の反力に耐えられるように鉄筋コンクリート造の内筒部を備えた構造の塔状構造物でなければ適用することができず、例えば、鉄骨が筒状に組まれてなる塔状構造物には適用することができない。
【０００６】
また、特許文献２記載の方法では、外部フレームの内部に内部フレームを備えた二重構造の塔状構造物でなければ適用することができない。また、塔状構造物の基底部以外の部分をリフトアップしており、大きな荷重を揚重可能な大型のジャッキが必要となる。
【０００７】
本発明は、上記の問題を解決することができるアンテナ鉄塔を備えた塔状構造物の構築方法を提供することである。
【課題を解決するための手段】
【０００８】
本発明の塔状構造物の構築方法は、筒状に形成された塔本体と、前記塔本体の上部に下端が接続されたアンテナ鉄塔と、を備える塔状構造物を構築する方法であって、前記塔本体を構築する塔本体構築ステップと、前記塔本体の内部において前記アンテナ鉄塔を構築するアンテナ鉄塔構築ステップと、揚重装置により前記塔本体に反力を取りながら、前記アンテナ鉄塔を前記塔本体から突出するまで吊り上げる吊り上げステップと、前記吊り上げたアンテナ鉄塔を前記塔本体に接続する接続ステップとを備え、前記塔本体構築ステップは、前記塔本体の所定高さよりも低い部分を構築する第１の塔本体構築ステップと、前記塔本体の前記所定高さよりも高い部分を構築する第２の塔本体構築ステップとにより構成され、前記第２の塔本体構築ステップと、前記アンテナ鉄塔構築ステップとを並行して行い、前記アンテナ鉄塔は複数の部材を上下に接続して構成され、前記アンテナ鉄塔構築ステップでは、揚重装置により前記塔本体の前記所定高さよりも低い部分に反力を取りながら前記アンテナ鉄塔の上端部を構成する部材を吊り上げ、前記吊り上げた部材の下端に、順次、前記アンテナ鉄塔を構成する部材を接続することにより前記アンテナ鉄塔を構築し、前記塔状構造物は、前記所定高さに展望室を備え、前記第１の塔本体構築ステップでは、前記塔本体の所定高さよりも低い部分を構築した後、前記展望室を構築し、前記第２の塔本体構築ステップでは、前記展望室の上部に設置されたステージから前記塔本体の前記所定高さよりも高い部分を構築し、前記アンテナ鉄塔構築ステップは、前記塔本体に反力を取る位置を前記所定高さよりも低い部分から上方に盛り替えるステップを含むことを特徴とする。
【００１１】
また、本発明の塔状構造物は、上記の方法により構築されたことを特徴とする。
【発明の効果】
【００１２】
本発明によれば、アンテナ鉄塔のみをリフトアップすることとしたため、揚重する部材の荷重が小さく、大規模なジャッキを用いることなく施工できる。また、揚重する部材の荷重が小さく塔本体に反力を取ることができるため、一般的な構成のアンテナ鉄塔を備えた塔状構造物であれば、適用することができる。
【発明を実施するための最良の形態】
【００１３】
以下、本発明の塔状構造物の構築方法の一実施形態を図面を参照しながら詳細に説明する。
図１は、本実施形態の構築方法により構築された塔状構造物１０を示す図である。同図に示すように、本実施形態の方法により構築された塔状構造物１０は、上下方向に延びる筒状に構築された鉄塔本体２０と、鉄塔本体２０の上端に接続されたアンテナ鉄塔３０とで構成される。塔状構造物１０のアンテナ鉄塔３０の下部には上部展望室４０が設けられ、さらに、上部展望室４０より低い位置には中央展望室５０が設けられている。
【００１４】
アンテナ鉄塔３０は、複数の筒状に形成されたトラス架構が上下に接続されてなり、鉄塔本体２０内に定着されている部分（以下、定着部という）３０Ｂに比べて、鉄塔本体２０から突出している部分（以下、先端部という）３０Ａの径が小さくなるように形成されている。また、アンテナ鉄塔３０の上部の外周面にはパラボラアンテナやテレビアンテナなどの各種アンテナが取り付けられている。また、アンテナ鉄塔の下部には階段等の下部設備３０Ｃが接続されている。
【００１５】
鉄塔本体２０は、上方に向かって径が小さくなる筒状に形成された鉄骨のトラス架構からなる。なお、以下説明の便宜上、鉄塔本体２０の中央展望室５０の上部よりも低い部分を本体下部２０Ｂといい、それよりも高い部分を本体上部２０Ａという。
【００１６】
以下、本実施形態の塔状構造物の構築方法を図２Ａ〜図２Ｉを参照しながら説明する。
まず、地上高さから上方に向かって本体下部２０Ｂを構築していく。すなわち、まず、本体下部２０Ｂの低層部を、地上に設置されたクレーンにより鉄骨を揚重しながら、鉄骨を組み立てて構築する。次に、このようにして構築した本体下部２０Ｂの低層部にタワークレーンを設置する。そして、このタワークレーンにより揚重した鉄骨を接続して本体下部２０Ｂを構築する工程と、構築した本体下部２０Ｂに反力をとりながらタワークレーンを上昇させる工程とを繰り返すことにより、本体下部２０Ｂを上方に向かって構築する。本体下部２０Ｂを中央展望室５０にあたる高さまで構築した後、図２Ａに示すように、本体下部２０Ｂの上部に中央展望室５０を構築し、中央展望室５０の上部に揚重用の重機等を設置可能な作業ステージ５１を構築する。
【００１７】
次に、図２Ｂに示すように、ジャッキ６２と、このジャッキ６２により昇降させることが可能なロッド６１とからなる昇降装置６０を、ジャッキ６２が本体下部２０Ｂの上部に反力をとるように設置する。
そして、本体下部２０Ｂの内部においてアンテナ鉄塔３０を組み立てる。アンテナ鉄塔３０は、複数のトラス架構からなる筒状部材が上下に接続されてなり、図２Ｂに示すように、昇降装置６０のロッド６１の先端６１Ａをアンテナ鉄塔３０を構成する最上部の筒状部材に取り付け、ジャッキ６２によりロッド６１を引き上げることで、アンテナ鉄塔３０を吊り上げ、吊り上げられたアンテナ鉄塔３０の下部に筒状部材を順次接続していくことにより組み立てることができる。
【００１８】
また、これと並行して、中央展望室５０の上部に構築した作業ステージ５１にタワークレーン（不図示）を設置し、このタワークレーンにより揚重した鉄骨を組み立てることにより、図２Ｃに示すように、本体上部２０Ａを構築する。
【００１９】
次に、図２Ｄに示すように、アンテナ鉄塔３０の最下部まで構築が完了した後、ロッド６１の先端６１Ａの取り付け位置を、アンテナ鉄塔３０の上部から定着部３０Ｂの下部へと盛り替える。
【００２０】
次に、図２Ｅに示すように、昇降装置６０のジャッキ６２によりアンテナ鉄塔３０を揚重し、アンテナ鉄塔３０の下部に下部設備３０Ｃを接続する。また、同図に示すように、本体上部２０Ａの構築が上部展望台４０の高さまで到達したら、本体上部２０Ａと一体となるように上部展望室４０を構築する。さらに、後述する昇降装置７０のジャッキ７２を取り付ける高さに作業ステージ７３を構築する。
【００２１】
次に、図２Ｆに示すように、アンテナ鉄塔３０の上端が昇降装置６０のジャッキ６２を取り付けた高さまで到達したら、図２Ｇに示すように、アンテナ鉄塔３０を吊持する昇降装置６０を、本体上部２０Ａに設けた作業ステージ７３上に設置されたジャッキ７２とロッド７１とからなる昇降装置７０に盛り替える。すなわち、まず、本体上部２０Ａの上端部の作業ステージ７３にジャッキ７２を設置し、このジャッキ７２から延びるロッド７１の先端７１Ａをアンテナ鉄塔３０の定着部３０Ｂに取り付ける。そして、新たに設置した昇降装置７０によりアンテナ鉄塔３０を吊持した状態で、昇降装置６０を解体する。
【００２２】
次に、図２Ｈに示すように、アンテナ鉄塔３０を、その先端部３０Ａが鉄塔本体２０の上部から突出するまで昇降装置７０により上昇させる。そして、アンテナ鉄塔３０を上昇させながら、鉄塔本体２０の頂部に構築した作業ステージ２２上においてアンテナ鉄塔３０の先端部３０Ａにパラボラアンテナやテレビアンテナなどの各種アンテナを取り付ける。
【００２３】
次に、図２Ｉに示すように、アンテナ鉄塔３０を、その下端部が鉄塔本体２０の最上部に位置するまで昇降装置７０により吊り上げた後、アンテナ鉄塔３０の下端部を構成する鉄骨と、鉄塔本体２０の最上部の内側を構成する鉄骨とを接合する。そして、昇降装置７０を解体する。
以上の工程により、塔状構造物１０を構築することができる。
【００２４】
本実施形態によれば、アンテナ鉄塔３０のみを昇降装置６０、７０によりリフトアップすることとしたため、昇降装置６０、７０のジャッキ６２、７２に必要とされる揚重性能が小さくなり、大型のジャッキを用いることなく、リフトアップを行うことができる。
【００２５】
また、アンテナ鉄塔３０のみをリフトアップすることとしたため、リフトアップする部分の荷重が小さくなり、揚重する際の反力を鉄塔本体２０にとることが可能となる。これにより、上端にアンテナ鉄塔を備える塔状構造物に限らずいかなる構造からなる塔状構造物であっても本発明を適用することができる。
【００２６】
また、中央展望室５０の上部に設置されたステージ５１上における本体上部２０Ａの構築作業と、地上高さにおけるアンテナ鉄塔３０の構築作業とを並行して行うことができるため、施工期間を短縮することができる。
【００２７】
また、本体上部２０Ａの構築作業を中央展望室５０の上部に設置されたステージ５１上で、また、アンテナ鉄塔３０にアンテナを取り付ける作業を本体上部２０Ａの上端部のステージ２２上で行うため、高所作業を減らすことができる。
【００２８】
なお、本実施形態では、本体上部２０Ａの構築作業と、アンテナ鉄塔３０の構築作業とを並行して行うものとしたが、これに限らず、本体上部２０Ａの構築作業を先行して行い、鉄塔本体２０を構築した後、アンテナ鉄塔３０の構築作業を行うものとしてもよい。この場合、本実施形態のように、アンテナ鉄塔３０を上昇させるための昇降装置７０のジャッキ７１を最初から本体上部２０Ａの最上部に設置することができ、昇降装置６０、７０の盛替え作業が不要となる。
【図面の簡単な説明】
【００２９】
【図１】本実施形態の構築方法により構築された塔状構造物を示す図である。
【図２Ａ】本実施形態の塔状構造物の構築方法を説明するための図（その１）である。
【図２Ｂ】本実施形態の塔状構造物の構築方法を説明するための図（その２）である。
【図２Ｃ】本実施形態の塔状構造物の構築方法を説明するための図（その３）である。
【図２Ｄ】本実施形態の塔状構造物の構築方法を説明するための図（その４）である。
【図２Ｅ】本実施形態の塔状構造物の構築方法を説明するための図（その５）である。
【図２Ｆ】本実施形態の塔状構造物の構築方法を説明するための図（その６）である。
【図２Ｇ】本実施形態の塔状構造物の構築方法を説明するための図（その７）である。
【図２Ｈ】本実施形態の塔状構造物の構築方法を説明するための図（その８）である。
【図２Ｉ】本実施形態の塔状構造物の構築方法を説明するための図（その９）である。
【符号の説明】
【００３０】
１０  塔状構造物
２０  鉄塔本体
２０Ａ  本体上部
２０Ｂ  本体下部
３０  アンテナ鉄塔
３０Ａ  先端部
３０Ｂ  定着部
３０Ｃ  下部設備
４０  上部展望室
５０  中央展望室
６０、７０  昇降装置
６１、７１  ロッド
６２、７２  ジャッキ
【図１】
0005374924.tif 000002
【図２Ａ】
0005374924.tif 000003
【図２Ｂ】
0005374924.tif 000004
【図２Ｃ】
0005374924.tif 000005
【図２Ｄ】
0005374924.tif 000006
【図２Ｅ】
0005374924.tif 000007
【図２Ｆ】
0005374924.tif 000008
【図２Ｇ】
0005374924.tif 000009
【図２Ｈ】
0005374924.tif 000010
【図２Ｉ】
0005374924.tif 000011